(57)【特許請求の範囲】
【請求項１】
パタートレーニング用具およびパターであって、
パタートレーニング用具は、枢動可能に装着された振り子を備え、振り子枢動部は、少なくとも１つの支持部により地面の上に立ち上げられ、前記振り子の下部領域は、使用する際に前記振り子のパター取付手段によってパターに取り付けられるように配置され、
パターは、パターのヘッドをパタートレーニング用具に取り付けるための取付手段を有するパタートレーニング用具およびパターにおいて、
取付手段が、その中に前記パタートレーニング用具の前記パター取付手段を摺動可能に受け入れるように作動可能な取付穴を、前記パターのトウ内に備え、
前記パター取付手段および前記取付穴は、前記パター取付手段と前記パターのヘッドとの間の回転変位を協働して防止するような形状に形成されることを特徴とするパタートレーニング用具およびパター。
【請求項２】
前記パター取付手段は取付ピンを備える、請求項１に記載のパタートレーニング用具およびパター。
【請求項３】
使用中に、前記振り子が使用者の頭部を正確に位置決めするための手段を提供するように、前記振り子が延びる方向とは反対の方向に前記枢動部の上方に垂直に延びる頭部位置部材をさらに備える、請求項１または２に記載のパタートレーニング用具およびパター。
【請求項４】
前記振り子は長さを調節可能である、請求項１から３のいずれか一項に記載のパタートレーニング用具およびパター。
【請求項５】
支持部が少なくとも１つの枢動可能に装着された調節可能な脚をさらに備える、請求項１から４のいずれか一項に記載のパタートレーニング用具およびパター。
【請求項６】
前記取付手段は交換可能なバラストウェイトとして作動可能である、請求項１から５のいずれか一項に記載のパタートレーニング用具およびパター。
【請求項７】
前記パターのヘッドは、前記バラストウェイトを受け入れるために作動可能なバラストウェイト穴を備える、請求項６に記載のパタートレーニング用具およびパター。
【請求項８】
前記バラストウェイトおよび前記バラストウェイト穴は、それらの間の回転変位を防止するように協働して作動可能である、請求項７に記載のパタートレーニング用具およびパター。
【請求項９】
前記パターのヘッドは、パッティングストローク中に、最適な使用者の頭部位置を示す視線を提供するように協働して作動可能な整列板および整列マーカーをさらに備える、請求項１から８のいずれか一項に記載のパタートレーニング用具およびパター。
【請求項１０】
パタートレーニング用具およびパターを使用する方法であって、
パタートレーニング用具は、枢動可能に装着された振り子を備え、振り子枢動部は、少なくとも１つの支持部により地面の上に立ち上げられ、前記振り子の下部領域は、使用する際に前記振り子のパター取付手段によってパターに取り付けられるように配置され、
パターは、パターのヘッドをパタートレーニング用具に取り付けるための取付手段を有するパタートレーニング用具およびパターを使用する方法において、
相対回転変位が防止されるように、振り子の下部領域をパターのトウ端部内の穴に取り付けること、および、地面の上に立ち上げられる前記振り子の枢動部の周りに、前記パターを動かすことを特徴とするパタートレーニング用具およびパターを使用する方法。
【請求項１１】
前記パターを前記枢動部の周りに動かす間、前記パターの下部領域に配置された上部および下部マーカーの相対配向を監視することを含む、請求項１０に記載の方法。
【発明の詳細な説明】
【技術分野】
【０００１】
本発明は、ゴルフクラブ、ゴルフクラブを使用する方法、ゴルフトレーニング用具、特にゴルファーのパッティングストロークを改善するためのパタートレーニング用具に関し、より詳細には、打たれるゴルフボールに対してゴルファーの頭部の正確な位置決めを容易にするためのパタートレーニング用具に関する。
【背景技術】
【０００２】
所定の好ましい方法に関するゴルファーのスイングの改善とは、方向の精度およびゴルフショットの長さの精度を改善することであると知られている。これは、特にパッティングストロークに対してそうである。しかし、ゴルファーが所定の好ましいパッティングストロークをどのように実行するかを理論的かつ実際的に指導され得るとしても、あらゆるゴルファーはこれらの指導を異なる角度からとらえ、また所定の好ましいパッティングストロークをどのように身体的に感じるべきかを経験することはできない。
【発明の概要】
【発明が解決しようとする課題】
【０００３】
したがって、ゴルファーが所定の好ましいパッティングストロークを身体的に経験できるための手段および方法が存在することが望ましい。
【課題を解決するための手段】
【０００４】
本発明によれば、振り子取付手段を有する枢動部材を備えるゴルフトレーニング用具が提供され、振り子取付手段は、少なくとも１つの支持脚により地面の上に立ち上げられ、振り子は、振り子を枢動部材に取付けるための枢動部材取付手段、およびゴルフクラブ取付手段を有する。
【０００５】
ゴルフクラブ取付手段は、有利には振り子の遠位端にて、または振り子の遠位端に隣接して配置される。
クラブ取付手段は取付ピンを備えてもよい。
【０００６】
ゴルフトレーニング用具は、有利には、使用中に使用者の頭部の正確な位置決めを提供するように、振り子が延びる方向とは実質的に反対の方向に枢動部材から延びる頭部位置部材をさらに備える。
【０００７】
振り子は、有利には長さを延長可能であり、好ましくは伸縮自在である。
ゴルフトレーニング用具は、好ましくは少なくとも１つの脚の上に装着された枢動部材基部を備える。
【０００８】
ゴルフトレーニング用具は、好ましくは基部と枢動部材との間に延在する枢動部材ステムを備える。
枢動部材ステムは、好ましくは基部に対してその長軸に沿って移動可能であり、それによって基部と枢動部材との距離を調節する。
【０００９】
基部は、枢動部材ステムの一部の受け入れに適した孔を備えてもよい。
ゴルフトレーニング用具は、好ましくは三脚を形成するために３本の脚を備える。該脚または各脚は、好ましくは長さを調節可能であり、好ましくは基部にヒンジで取り付けられる。
【００１０】
ゴルフトレーニング用具は、有利にはクラブヘッドを振り子に取り付けるための振り子取付手段を有するゴルフクラブヘッドをさらに備える。
ゴルフトレーニング用具は、ゴルフクラブヘッドへの取付けに適したゴルフクラブシャフトをさらに備えてもよい。ゴルフクラブシャフトは長さを調節可能であってもよい。このようなシャフトの例は、たとえば伸縮自在のシャフトであってもよい。
【００１１】
また本発明によれば、頭部を上述のゴルフトレーニング用具に取り付けるための取付手段を有するゴルフクラブヘッドが提供される。
取付手段は、その中にトレーニング用具のゴルフクラブ取付手段を摺動可能に受け入れるように作動可能な取付穴を備えてもよい。ゴルフクラブ取付手段および取付穴は、ゴルフクラブ取付手段とゴルフクラブヘッドとの間の回転変位を協働して防止するような形状とされてもよい。
【００１２】
クラブヘッド内に配置された取付手段は、有利には交換可能なバラストウェイトとして作動可能である。
ゴルフクラブヘッドは、有利にはバラストウェイトを受け入れるように作動可能なバラストウェイト穴を備えてもよい。
【００１３】
バラストウェイトおよびバラストウェイト穴は、有利にはそれらの間の回転変位を防止するように協働して作動可能である。
ゴルフクラブヘッドは、有利にはパッティングストローク中に最適な使用者の頭部位置を示す視線を提供するように協働して作動可能である整列板および整列マーカーを備える。
【００１４】
整列板は、有利には整列孔を備える。
ゴルフクラブヘッドは、有利にはシャフトをクラブヘッドに取り付けるため、及び、取り付けられたシャフトをクラブヘッドに対して少なくとも一次元で枢動するように作動可能なシャフトリンク機構を備える。
【００１５】
シャフトリンク機構は、有利には取り付けられたシャフトをクラブヘッドに対して二次元で枢動するように作動可能である。
シャフトリンク機構は、有利には両端クレビスジョイントを備える。
【００１６】
また、本発明によれば、先の段落に記載されたようにクラブヘッドを有するゴルフクラブが提供される。
本発明のさらなる態様によれば、ゴルフクラブは、上部および下部の離間したマーカーを含み、マーカーは、互いに離間する上部および下部マーカーの相対配向がクラブの使用者によって監視されるように配置された状態で、クラブの下部領域に配置される。
【００１７】
上部マーカーは、孔からなる開口を備えてもよい。
下部マーカーは印を備えてもよい。
少なくとも１つのマーカーは、クラブのヘッド上に配置されてもよく、両方のマーカーがそのように配置されてもよい。
【００１８】
本発明のさらなる態様によれば、上部マーカー、および下部の離間したマーカーを有するゴルフクラブを使用し、両マーカーがゴルフクラブのの下部領域に配置され状態で、ゴルフクラブを使用する方法は、使用者がクラブをスイングすること、および使用者がマーカーの相対位置を監視することを含む。
【００１９】
使用者は、マーカーの相対位置を監視し、マーカーの相対位置を一定に維持するよう試みてもよい。
本発明は、本明細書中で特徴を参照するあらゆる組合せを含む。
【００２０】
次に本発明は、添付図面を参照して詳細に説明される。
【図面の簡単な説明】
【００２１】
【図１】本発明によるゴルフトレーニング用具の等角投影図である。
【図２】図１のゴルフトレーニング用具の側面立面図である。
【図３】本発明によるゴルフパターヘッドの等角投影図である。
【図４】図３のゴルフパターヘッドのトウ端図である。
【図５】図３のゴルフパターヘッドと共に使用するためのバラストウェイトの等角投影図である。
【図６】図３のゴルフパターヘッドの背面図である。
【図７】分離された位置におけるゴルフクラブガイドの一実施形態を示す図である。
【図８】組み立てられた位置におけるゴルフクラブガイドの一実施形態を示す図である。
【発明を実施するための形態】
【００２２】
図１および２を参照すると、本発明によるゴルフトレーニング用具１０は、側面１４、上部表面１６および下面１８を有するハブ１２を有する。枢動部材２０は側面１４から外方に延びる。
【００２３】
枢動部材２０は、その周辺端部上に、枢動ピンまたは枢動ピンを受け入れるための適切な穴のいずれかの形態の振り子取付手段２２を有する。細長い部材から形成される振り子シャフト２４は、一方の端部上に枢動部材取付手段２６および他方の端部上にゴルフクラブ取付手段２８を有する。枢動部材取付手段２６は、枢動ピン、または、枢動ピンを受け入れるための適切な穴のいずれかから形成され、振り子取付手段２２と協働する。ゴルフクラブ取付手段２８は、取付ピン３０を有する。振り子２４は、ゴルフクラブ取付手段２８を有する端部が、正確な態様または弓型の態様でスイングできるように、枢動部材２０上に装着される。好ましい実施形態では、振り子は、振り子が長さを調節可能であるように、３つの伸縮自在の部材２４ａ、２４ｂおよび２４ｃから形成される。
【００２４】
基部３１は、その周囲に離間して配置された３つのヒンジ３４、３６および３８を有するプレート３２から形成される。各ヒンジは、それぞれ支持脚４０、４２および４４に連結される。支持脚は、基部３１の高さを上昇させるため、また、それらの配分を地面上で拡げ、起伏をなす地面の表面を考慮して安定性を提供するために、延ばすことができるように、それらの長さが伸縮自在である。また水準器（図示せず）は、トレーニング用具を正確に組み立てることができるようにするために、基部３１上に配置されてもよい。
【００２５】
ステム４６は、ステムがウォームおよびホイール機構４８の制御下でそこを通過できるように、ハブ１２の下面１８から基部３１内の穴を通って下方に延びる。制御を提供するように機能する他の形式の機構が使用可能であることは理解されよう。ステム４６が基部３１内の穴を通って下方に動かされるように、ウォームおよびホイール機構を制御することにより、地面に対する枢動部材２０の高さが低減させられる。同様に、ステム４６が上方に動くようにウォームおよびホイール機構を制御することによって、地表に対する枢動部材２０の高さが増加する。
【００２６】
調節可能部材５０は、振り子が延びる方向と実質的に反対の方向に沿って上方に延び、その周辺端部に固定された頭部位置部材５２を有する。頭部調節可能部材５０は、ゴルフクラブ取付手段２８の真上に頭部位置部材５２を位置付けるように傾斜され、使用者に近づいたり離れたりする範囲を変化させるように調節可能であってもよい。トレーニング用具は、調節可能部材および頭部位置部材５２の有無に関わらず作動されてよい。
【００２７】
特別に適応されたゴルフクラブヘッド５４は、適所に固定されるように、ゴルフクラブ取付手段２８に取外し可能に取付可能であってもよい。ゴルフクラブヘッド５４は、クラブヘッド面上にロフトの異なる複数の角度を提供するように、取付手段に異なる角度で取付可能である。ロフトは約０〜７０°の範囲であってよい。ゴルフクラブヘッド５４は、恒久的に取り付けられたシャフト５６、または別法としてゴルフクラブ５８を形成するためにゴルフクラブヘッド５４に取付可能に取外し可能なシャフトのいずれを有してもよい。ゴルフクラブ５８は、ゴルフコース上で使用するため、ゴルフトレーニング用具から取り外される前に、ゴルフトレーニング用具に取り付けて使用される。
【００２８】
使用中に、ゴルフトレーニング用具は、脚４０、４２および４４を安定性を提供するために適切な長さに延ばすことによって組み立てられる。枢動部材２０の高さは、ウォームおよびホイール機構４８を使用することにより、基部３１に対してステム４６の高さを調節することによって設定される。次いで、振り子２４は、ゴルフクラブ取付手段２８が、振り子２４を著しく縮小することなくパット練習面６０の上に横たわるように、長さを調節される。ゴルフクラブヘッド５４は、シャフト５６がパッティングストロークを練習するために適切な通常位置で上方に延びるように、ゴルフクラブ取付手段２８に取り付けられる。ゴルフクラブヘッドは、たとえば、クラブヘッドのトウ端部は、ヘッドがゴルフクラブ取付手段２８に取外し可能に連結できる取付手段を有する場合、通常のプレイに使用できるゴルフクラブであってもよい。ヘッドのトウ端部上の取付手段は、ヘッドから取外し可能でもよく、それによりクラブが通常のプレイに、より容易に使用されることが可能になる。
【００２９】
使用者は、パッティングストロークに取り組む前に、通常の方法でゴルフクラブ５８を把持する。パッティングストロークに取り組む際、クラブヘッド５４は、振り子が決定しクラブ取付手段２８で描く弧によって導かれる。この弧は、正確なパッティングストロークに取り組むための、所定の好ましい弧である。したがって、使用者は、使用者がどのようにパッティングストロークに取り組むべきかに関して、自身の身体で生体力学のフィードバックを経験し、それをどのように感じるべきかも経験する。
【００３０】
図３〜６を参照すると、好ましいゴルフクラブ、パターヘッド１５４は、トウ１５７、ヒール１５９、正面打球面１６０、背部１６２および頂面１６４を備える。
パターヘッド１５４は、ゴルフクラブシャフト１５６をパターヘッドに取り付け、連結するためのシャフトリンク機構１６６をさらに備えてもよい。シャフトリンク機構１６６は、頂面１６４に固定された枢動部材１６８を有し、シャフトリンク機構１６６が枢動部材１６８から実質的に上方に延びる。シャフトリンク機構は、両頭のクレビスジョイント１７０をさらに備える。クレビスジョイント１７０は、一方の端部に配置された第１のクレビスジョイント１７２および他方の端部に配置された第２のクレビスジョイント１７４を有する長方形の管である。
【００３１】
第１のクレビスジョイント１７２は、第２のクレビスジョイント１７４の開口端に対して直角である開口端を有する。
枢動部材１６８は、第１のクレビスジョイント１７２の開口端内部に配置され、枢動部材１６８および第１のクレビスジョイント１７２を通って延在する枢動ピン１７６により、それに枢動可能に取り付けられる。枢動部材１６８に対する第１のクレビスジョイント１７２の枢動動作により、ゴルフクラブシャフト１５６をパターヘッド１５４に対して前後方向に枢動することが可能になり、それによってシャフト１５６の長軸と打球面１６０の面との間の角度を所望の角度に調節して固定することが可能になる。すなわち、打球面１６０のロフトを要望通りに調節することができる。
【００３２】
シャフト１５６は、第２のクレビスジョイント１７４の開口端内部に配置された遠位端１７８を有し、シャフトの遠位端１７８および第２のクレビスジョイント１７４を通って延在する枢動ピン１８０を用いてそれに枢動可能に取り付けられる。クレビスジョイント１７０に対するシャフト１５６の枢動動作により、シャフト１５６を第１のクレビスジョイントと枢動部材との間の枢動方向に垂直な方向に枢動させることが可能になる。したがって、第２のクレビスジョイント１７４によって提供される枢動動作は、シャフトの自由端部（ハンドル）をトウ１５７とヒール１５９との間に形成された面内で枢動させることが可能になり、それによってシャフトの角度を使用者の身長およびパッティングスタイルに適合するように調節することが可能になる。
【００３３】
図４および６をより具体的に参照すると、背部１６２は、実質的に垂直な表面１８２などの上方に延びる表面、および、実質的に水平な表面１８４などのそれを横切る表面を有する肩部１８０を備える。表面１８４上に適切に配置されるのはマーカー１８６であり、水平表面１８４に対して実質的に平行な関係などの適切な関係で上方に延びる表面１８２から、実質的に垂直な外方などの外方向に延びるのは、整列板１８８である。整列板１８８は、マーカー１８６に対する孔１９０を構成する整列開口を介して使用者の目からの好ましい視線１９２を提供するように、整列板１８８を通って延びる整列孔１９０を有する。マーカー１８６は、たとえば、着色された印、または表面１８４上に配置された隆起部分もしくは窪んだ部分であってもよい。マーカー１８６は、好ましくは開口１９０から離間して配置される。
【００３４】
図７および８は、パターなどのクラブヘッドに添付されるマーカーおよびガイドの代替形態を開示する。この実施形態では、上部マーカー２９０は、摩擦嵌めによって、下部マーカー２８６内の整列開口２９４内に受け入れられるように配置された下方に延在する栓２９２を含む。下部マーカーは、その中に上部マーカーが嵌合する凹部２９５を含む。
【００３５】
上部マーカー２９０は孔２９６を含み、その孔２９６は、クラブの所望のスイングの方向に延在する第１のマーキング２９８を有してもよく、第１のマーカーに直角をなす第２のマーカー３００を有してもよい。下部マーカーは、上部マーキング２９８から離間した第１のマーキング２９８Ａを有してもよく、それに対して結果的に角度をなす第２のマーキング３００Ａを有してもよく、それらのマーカー２９８Ａおよび３００Ａは互いに交差してもよい。
【００３６】
使用中に、クラブをスイングする際に図８に示すように、互いに位置合わせされた第１のマーキング２９８および２９８Ａを保持するように試みることが望ましい。また、図８に示すように、クラブをスイングする際に複数の第２のマーカーを互いに位置合わせたれた状態に保持することが望ましい。
【００３７】
本発明の一実施形態によれば、クラブはトレーニング用具と共に使用されても使用されなくてもよく、開口１９０ならびにマーカーすなわち上部マーカー２９０および下部マーカー２８６を有するクラブが提供される。
【００３８】
使用中に、パターヘッド１５４は、シャフトリンク機構１６６を使用して、使用者に適合するためにシャフト１５６に対して調節される。シャフトは、たとえば伸縮自在のシャフトを比較することなどにより、長さを調節可能であってもよい。次いで、使用者は、自身のパッティングストロークを練習し、その際、視線１９２を維持し、その結果、使用者はパッティングストローク中に常に整列孔１９０を通してマーカー１８６を見ることができる。これにより、トレーニング用具と共に、最適なパッティングストロークを方向および長さの点でより高い精度にて達成することが可能になる。
【００３９】
図４および５を具体的に参照すると、バラスト穴１９２は、パターヘッド１５４のトウ１５７内に形成される。穴１９２は、ヒール１５９の方向に延在し、バラストウェイト１９４（図５参照）を摺動可能に受け入れ、バラストウェイト１９４と協働するような形状を有する。穴１９２は、バラストウェイトの本体を受け入れるための第１の直径、およびバラストウェイトの延長部分を受け入れるための第２のより小さい直径を有する。穴１９２は、受け入れ溝１９６を提供するために、穴の長さに沿って長軸方向に延びる直径の増加した別の領域を周囲に有する。
【００４０】
バラストウェイト１９４は、使用者に適合するために調節可能なパターウェイトを提供する。バラストウェイト１９４は、穴１９２の第１の直径に対応する外径を有する円柱であり、その結果、ウェイト１９４は穴１９２の内部に摺動可能に受け入れられる。ウェイトは内側端部１９８および外側端部２００を有する。内側端部１９８は整列突起部２０２の形態で延長部分を有し、整列突起部２０２は、ウェイト１９４の長軸の方向に延び、穴の第２のより小さい直径に対応する直径を有する寸法に形成される。バラストウェイト１９４の外側端部２００は、バラストウェイト１９４の長軸に沿って延びる取付穴２０４を有する。取付穴２０４は、ゴルフトレーニング用具１０（図１および２参照）の取付ピン３０を摺動可能に受け入れるように作動可能である。取付穴２０４は、その穴２０４に対して取付ピン３０の回転変位を防止するような形状を有する。したがって、穴２０４は、１つまたは複数の平坦部分を有し、平坦部分は機械加工されてもよく、また平坦部分は、回転変位を防止するために取付ピン３０上に配置された平坦部分と協働する。
【００４１】
また、バラストウェイト１９４は、ロッキング部材２０６を形成するために、増加された直径の隆起部分を有し、ロッキング部材２０６は、その長軸方向に実質的に平行な方向にウェイトの外側表面に沿って延在する。ロッキング部材２０６は、ウェイト１９４が穴１９２の内部に配置されるとき、ロッキング部材２０６が穴１９２に対してウェイト１９４の回転変位を防止するために溝１９６と協働するように、溝１９６内に摺動可能に受け入れられる寸法に形成される。
【００４２】
上述したゴルフトレーニング用具、クラブヘッドおよびクラブは、右利きの使用者に適合するように図示されているが、ゴルフトレーニング用具、クラブヘッドおよびクラブは、本発明の範囲内で左利きの使用者に同様に適用可能であることが理解されよう。
【図１】
0006042349.tif 000002
【図２】
0006042349.tif 000003
【図３】
0006042349.tif 000004
【図４】
0006042349.tif 000005
【図５】
0006042349.tif 000006
【図６】
0006042349.tif 000007
【図７】
0006042349.tif 000008
【図８】
0006042349.tif 000009